(57)【要約】      （修正有）【課題】異なるシールド挙動間の切替え能力を有する電磁シールドを提供する。【解決手段】複数の導電素子２を備えた電磁シールド面を含む電磁シールド１であって、複数の導電素子２は、電磁シールド１を、オープン構成と短絡構成との間で切替えるように構成されたスイッチングアセンブリ３に電気的に接続されている。オープン構成では、複数の導電素子２が互い電気的に絶縁され、短絡構成では、複数の導電素子２が共通のノードＣで互いに電気的に接続される。電磁シールド１の複数の導電素子２をオープン構成と短絡構成との間で切替えると、電磁シールド効果（ＥＭＳＥ）に変化が生じる。電磁シールド１は、シールドされた織物や、好ましくはシールドファブリックで作られたポケットの形をしている電磁シールド１を含んだ物品を提供するのに使用することができる。【選択図】図１
2019204944.tif 000002
【特許請求の範囲】
【請求項１】
複数の導電素子（２）を有するシールド表面を含む電磁シールド（１）であって、
前記複数の導電素子（２）は、前記電磁シールド（１）の前記複数の導電素子の少なくとも一部をオープン構成と短絡構成との間で切替えるように構成されたスイッチングアセンブリ（３）に電気的に接続されており、
前記オープン構成において、前記複数の導電素子（２）は、互い電気的に絶縁され、
前記短絡構成において、前記複数の導電素子（２）は、共通のノード（Ｃ）で互いに電気的に接続されることを特徴とする電磁シールド。
【請求項２】
請求項１に記載の電磁シールド（１）において、
前記共通のノード（Ｃ）は、電気的に固定グラウンド電位に接続されることを特徴とする電磁シールド。
【請求項３】
請求項１に記載の電磁シールド（１）において、
前記共通のノード（Ｃ）は、送信アンテナとして前記複数の導電素子（２）を駆動する、ダイナミック駆動電位に電気的に接続されることを特徴とする電磁シールド。
【請求項４】
請求項３に記載の電磁シールド（１）において、
前記スイッチングアセンブリは更に、前記共通のノード（Ｃ）を固定グラウンド電位に、若しくは、前記共通のノードを前記ダイナミック駆動電位に、電気的に接続するように構成されていることを特徴とする電磁シールド。
【請求項５】
請求項３又は４に記載の電磁シールド（１）において、
前記前記ダイナミック駆動電位は、共振回路（８）によって提供されることを特徴とする電磁シールド。
【請求項６】
請求項５に記載の電磁シールド（１）において、
前記共振回路（８）は、電圧制御発振器を含むことを特徴とする電磁シールド。
【請求項７】
請求項１〜６のいずれか１項に記載の電磁シールド（１）において、
前記複数の導電素子（２）は、電気的絶縁材料（５）により互いに他の前記導電素子に対して間隔をおいて配置されていることを特徴とする電磁シールド。
【請求項８】
請求項１〜７のいずれか１項に記載の電磁シールド（１）において、
前記導電素子は、前記複数の導電素子（２）の第１のセットの少なくとも１つと、前記複数の導電素子（２）の第２のセットの少なくとも１つを含んでおり、
前記スイッチングアセンブリ（３）は更に、前記電磁シールド（１）の前記複数の導電素子の一部を、少なくとも第１の部分的短絡構成と第２の部分的短絡構成の間で、電気的に切替えるように構成されており、
前記第１の部分的短絡構成では、前記第１のセットの前記導電素子（２）は前記共通のノード（Ｃ）で互いに電気的に接続され、前記第２のセットの前記導電素子（２）は互いに電気的に絶縁されており、
前記第２の部分的短絡構成では、前記第２のセットの前記複数の導電素子（２）は前記共通のノード（Ｃ）で互いに電気的に接続され、前記第１のセットの前記複数の導電素子（２）は互いに電気的に隔離されていることを特徴とする電磁シールド。
【請求項９】
請求項１〜８のいずれか１項に記載の電磁シールド（１）において、
ユーザによって前記スイッチングアセンブリ（３）のスイッチングを制御するための制御手段（９）を含むことを特徴とする電磁シールド。
【請求項１０】
請求項１〜９のいずれか１項に記載の電磁シールド（１）において、
前記複数の導電素子（２）は、メッシュ又はグリッドを形成するように配置されていることを特徴とする電磁シールド。
【請求項１１】
請求項１０に記載の電磁シールド（１）において、
前記メッシュ又は前記グリッドは、４００ｍｍ２未満、好ましくは１ｍｍ２〜１００ｍｍ２の広がりを有する開口部を備えていることを特徴とする電磁シールド。
【請求項１２】
請求項１〜１１のいずれか１項に記載の電磁シールド（１）において、
前記複数の導電素子（２）は金属ワイヤであり、好ましくは電気絶縁材料で被覆されてた複数の金属ワイヤであることを特徴とする電磁シールド。
【請求項１３】
請求項１２に記載の電磁シールド（１）において、
前記複数の金属ワイヤは、ファブリックの経糸（１２ａ）及び／又は緯糸（１２ｂ）の少なくとも一部を形成するように配置された金属ワイヤであり、好ましくは、前記金属ワイヤは、織物繊維で被覆されたマグネットワイヤであることを特徴とする電磁シールド。
【請求項１４】
シールドファブリック（１２）てあって、
前記シールドファブリック（１２）の経糸（１２ａ）及び／又は緯糸（１２ｂ）の少なくとも一部を形成するように配置された複数の絶縁された導電性のワイヤ（２）を含み、
前記複数のワイヤ（２）は、請求項１〜１３のいずれか１項に記載の電磁シールド（１）を提供するために、スイッチングアセンブリ（３）に電気的に接続されるように構成されていることを特徴とするシールドファブリック。
【請求項１５】
請求項１４に記載のシールドファブリック（１２）において、
前記シールドファブリック（１２）は、デニムファブリックであることを特徴とするシールドファブリック。
【請求項１６】
請求項１〜１３のいずれか１項に記載の電磁シールド（１）を含む物品。
【請求項１７】
請求項１６に記載の物品において、
前記物品は、請求項１４又は１５に記載のシールドファブリック（１２）を含むことを特徴とする物品。
【請求項１８】
請求項１７に記載の物品において、
前記物品は、前記シールドファブリック（１２）で作られた少なくとも１つのポケットを備えていることを特徴とする物品。
【請求項１９】
請求項１６〜１８のいずれか１項に記載の物品において、
前記物品は、衣服、財布、小銭入れ、バッグ、カードホルダー、あるいは電話カバーのいずれかであることを特徴とする物品。
【請求項２０】
電磁界から電磁シールドを提供する方法であって、
（ａ）請求項１〜１３のいずれか１項に記載の前記電磁シールド（１）を提供するステップと、
（ｂ）前記電磁シールド（１）の前記複数の導電素子の少なくとも一部を、前記オープン構成と前記短絡構成の間で切替えるステップとを含むことを特徴とする電磁界から電磁シールドを提供する方法。
【請求項２１】
請求項１９に記載の方法であって、
前記ステップ（ｂ）において、前記電磁界の１つ又は複数の周波数において、前記シールド表面の前記電磁シールド効果（ＥＭＳＥ）の変化を生じさせることを特徴とする電磁界から電磁シールドを提供する方法。
【発明の詳細な説明】
【技術分野】
【０００１】
本発明は、電磁シールドの分野に関係するものである。特に、本発明は、異なるシールド挙動間の切替え能力を有する電磁シールドに関するものである。
【背景技術】
【０００２】
電磁シールドは、典型的には、導電性材料で作られたバリヤで電磁界を遮断することによって、空間領域内の電磁界を減少させるために使用される。このシールドは、典型的には、外部環境から電気器具及び電気的ケーブルを分離するために採用される。無線周波数の電磁放射をシールドする電磁シールドも、ＲＦシールドとして知られている。
【０００３】
最も一般的な電磁シールドは、電気的にシールドされるべき空間領域を囲むように配置された導電性材料のメッシュからなる、ファラデー箱である。そのような材料で連続的に覆うように形成された導電性の囲いも、ファラデー・シールドとして知られている。
【０００４】
ファラデー箱のメッシュは、通常は、導電性材料（例えば金属）の連続的なシートに開口部を形成することより、あるいは、導電素子（例えば棒又は線）間を接合することにより製造できる。
【０００５】
ファラデー箱の外部に電界が存在すると、このファラデー箱の内部の電界の影響を相殺するように、このファラデー箱の導電性材料内の電荷が分配される。このようなシールド効果は、使用される材料、その厚さ、シールドされた容積の大きさ及び関係する電界の周波数、ならびに入射電磁界に対するメッシュ内の開口部の大きさ、形状及び配向に依存する。
【０００６】
ファラデー箱は、例えば、柔軟な金属織物でできたファラデー箱を含むバッグである、いわゆる「ファラデーバッグ」でも使用される。これらは通常、犯罪捜査で回収されたワイヤレスデバイスのリモートワイプ又は改ざんを阻止するために使用される。しかし、データの盗難から保護するため、又はディジタル・セキュリティを強化するために、一般の人々が使用することもある（例えば、不正な非接触支払いを回避するため）。
その結果、装置（例えば、スマートフォン、タブレットなど）又は非接触カード（クレジット／デビットカード、バッジなど）を、「外界」から隔離することが可能である。
しかしながら、ファラデーバッグは、ユーザの日々の使用には不快となり得るものである。例えば、ユーザが装置を使用する必要があるとき（例えば電話を受ける）や非接触カードを使用する必要があるとき（例えば支払いのために）、デバイス又はカードをファラデーバッグから取り出す必要がある。
【０００７】
この問題に関して、特許文献１は、２つのシールド構成間で切替えることができる電子的に読取り可能な認証カード用の保護装置を開示している。
この保護装置は、電磁放射からの遮蔽を提供するために、メッシュシースが伸張してカードを囲み電磁放射からシールドする第１の位置（アクティブなシールド構成）と、メッシュシースが折り畳まれカードがシールドされていない第２の位置（非アクティブなシールド構成）との間で移動可能な、導電性のメッシュシースを含んでいる。
【０００８】
この解決策は、伸張構成と折り畳み構成との間での、メッシュシースの確実な移動（切替え）を可能にするために、導電性のメッシュシースが結合される剛性の支持体を必要とする。例えば、シールドされる装置がポケットに入れられるように構成されているとき（例えば、スマートフォン）、剛性のある支持体は、使用者にとって不快である。更に、この解決策は、広い空間領域（例えば部屋又は建物）がシールドされるような場合には、非常に複雑で、高価となる。
【先行技術文献】
【特許文献】
【０００９】
【特許文献１】ＵＳ２０１４／０１４６５１０Ａ１
【発明の概要】
【発明が解決しようとする課題】
【００１０】
本発明の１つの目的は、上に先行技術の欠点を克服し、簡単で信頼性のある方法で異なるシールド挙動間で切替えることができる、電磁シールド及びこの電磁シールドを提供するための関連する方法を提供することである。
【００１１】
本発明の他の目的は、容易かつ信頼できるやり方で、衣服、財布、小銭入れ、バッグ、カードホルダーあるいは電話カバーのような物品に組み立てられることが可能な、電磁シールド、及びこの電磁シールドを提供するための関連する方法を提供することである。
【課題を解決するための手段】
【００１２】
本発明のこれら及び他の目的は、請求項１に記載の電磁シールド、請求項１４に記載のシールドファブリック、請求項１６に記載の物品、及び請求項２０に記載の電磁シールドを提供する方法によって達成される。
本発明の好ましい態様は、従属項にも記載されている。
【００１３】
特に、本発明によれば、電磁シールドはシールド表面、つまり複数の導電素子と共に提供される表面、を含んでおり、この複数の導電素子は、複数の導電素子の少なくとも一部を、オープン構成と短絡構成との間で切替えるように構成された、スイッチングアセンブリに電気的に接続されている。
【００１４】
オープン構成では、複数の導電素子は、互いに電気的に隔離される。言いかえれば、複数の導電素子がオープン構成にある場合、スイッチングアセンブリは、導電素子間に非常に高い抵抗を提供し、その結果、電場の影響下で、複数の導電素子間に電流が流れないか、又はごくわずか（理論的にはゼロ）である。
【００１５】
短絡構成では、複数の導電素子は、共通のノードで互いに電気的に接続される。言いかえれば、複数の導電素子が短絡構成にある場合、スイッチングアセンブリは複数の導電素子間に、非常に低いインピーダンスを提供する。その結果、電場の影響を受けて複数の導電素子間に電流が自由に流れることができる。
【００１６】
本発明のこの態様は、シールドすべき空間領域に対する複数の導電素子の相対移動を必要とせずに、電磁シールドを２つのシールド挙動間で切替えることができる利点がある。特に、複数の導電素子をオープン構成と短絡構成の間で切替えることによって、後でより詳細に述べるように、シールド表面の電磁シールド効果（ＥＭＳＥ：ｅｌｅｃｔｒｏｍａｇｎｅｔｉｃ  ｓｈｉｅｌｄｉｎｇ  ｅｆｆｅｃｔｉｖｅｎｅｓｓ）の値が変化する。
【００１７】
好ましくは、共通のノードは、電気的に固定グラウンド電位に接続される。あるいは更に、共通のノードは、送信アンテナとして複数の導電素子を駆動する、ダイナミック駆動電位に電気的に接続される。
【００１８】
ダイナミックな駆動電位は、好ましくは電圧制御発振器を含む、共振回路によって提供されるのが良い。この実施例では、ダイナミックな駆動電位の振動数の制御により、電磁シールド効果（ＥＭＳＥ）の値を調節することができる。
【００１９】
好ましい実施例では、スイッチングアセンブリは更に、共通のノードを固定グラウンド電位に、又は共通のノードをダイナミック駆動電位に電気的に接続するように構成されている。
【００２０】
本発明の特別の態様によれば、導電素子は、複数の導電素子の第１のセットの少なくとも１つと、複数の導電素子の第２のセットの少なくとも１つを含んでいる。スイッチングアセンブリは更に、複数の導電素子の一部を、少なくとも第１の部分的短絡構成と第２の部分的短絡構成の間で、電気的に切替えるように構成されている。
【００２１】
第１の部分的短絡構成では、第１のセットの導電素子は共通のノードで互いに電気的に接続され、第２のセットの導電素子は互いに電気的に絶縁されている。
第２の部分的短絡構成では、第２のセットの複数の導電素子は共通のノードで互いに電気的に接続される一方、第１のセットの複数の導電素子は互いに電気的に隔離されている。
【００２２】
複数の導電素子は互いに離間しており、一実施形態では、これらは電気絶縁材料によって離間しているのが良い。幾つかの実施例では、導電素子は金属ワイヤであり、好ましくは電気絶縁材料で被覆されている（例えばマグネットワイヤ）。「エナメルワイヤ」とも呼ばれるマグネットワイヤは、非常に薄い絶縁層で被覆された金属ワイヤ（たとえば銅又はアルミニウム製）である。マグネットワイヤは市販されており、典型的には変圧器、インダクタ、モータ、スピーカー、ハードディスクヘッドアクチュエータ、電磁石、及び絶縁ワイヤの狭いコイルを必要とする他の用途の構成に使用されている。
【００２３】
本発明の一態様によれば、電磁シールドは、ユーザによるスイッチングアセンブリの切替えを制御するための制御手段を含んでいる。この制御手段は、例えば、機械的セレクタ又は通信モジュール、あるいは一般的には構成設定を受信するための手段とすることができるユーザ・インターフェースを提供することができる。言い換えれば、制御手段のユーザ・インターフェースによって、ユーザは、電磁シールドの導電素子のシールド構成に対応する構成設定をスイッチングアセンブリに提供する。
好ましくは、複数の導電素子は、メッシュ又は格子を形成するように配置されている。
【００２４】
本発明の一態様によれば、メッシュ又はグリッドは、それぞれ４００ｍｍ２未満、好ましくは１ｍｍ２と１００ｍｍ２の間、の広がりを有する複数の開口部を含んでいる。
【００２５】
本発明の特別な実施例では、複数の導電素子が、ファブリックの経糸及び／又は緯糸の少なくとも一部を形成するように配置された金属ワイヤである。好ましくは、金属ワイヤは、織物繊維で被覆されたマグネットワイヤ、例えば、綿繊維（例えばステープル綿繊維）である。絶縁金属ワイヤは、織布内の経糸及び／又は緯糸の一部を形成してもよい。
【００２６】
本発明の他の目的は、シールドファブリック（つまり複数の絶縁された導電性の線を含むファブリック）の提供である。すなわち、ファブリックは、複数の絶縁導電ワイヤを含んでいる。適切なワイヤは、導電性材料（例えば金属）から作られ、織物の経糸及び／又は緯糸の少なくとも一部を形成するように配置された電気絶縁材料（好ましくは磁石ワイヤ）で被覆されたワイヤである。
絶縁導電線は、本発明の一実施形態による電磁シールドを提供するためのスイッチングアセンブリに電気的に接続されるように構成される。
本発明の１つの態様によれば、シールドファブリックはデニムファブリックである。
【００２７】
本発明のさらなる目的は、本発明の上述の実施形態による電磁シールドを含む物品である。例えば、物品は、衣服、財布、小銭入れ、バッグ、カードホルダーあるいは電話カバーでも良い。これらの物品は、好ましくは、本発明によるシールドファブリックを含み、より好ましくは、物品は少なくとも上記シールドファブリックでできたポケットを備えている。
【００２８】
本発明の他の目的は、次のステップを含む、電磁界からの電磁シールドを提供する方法の提供にある。
（ａ）本発明の実施例によって電磁シールドを提供するステップ、
（ｂ）電磁シールドの複数の導電素子の少なくとも一部を、オープン構成と短絡構成の間で切替えるステップ。
上記ステップ（ｂ）は、電磁場の１つ又は複数の周波数においてシールド表面の電磁シールド効果（ＥＭＳＥ）を変化させる。
【００２９】
その結果、本発明の電磁シールドは、電磁場の１つ以上の周波数において異なるＥＭＳＥ値を有する、異なるシールド挙動間で切替えることができる。言いかえれば、本発明の基本的な考え方は、最初に絶縁導体のグリッド又は積み重ねを用意し、それらを短絡させて導体の箱を形成し、導体グリッドのシールド挙動を変更することである。このスイッチは、導体の任意の形状やグループ化等に対応して実装できる。
【図面の簡単な説明】
【００３０】
【図１】本発明の一実施例に基づく電磁シールドの透視図を概略的に示すものである。
【図２】図１の電磁シールドの断面Ａ−Ａに沿った横断面図である。
【図３Ａ】本発明の他の実施例に基づく、電磁シールドの透視図を概略的に示すものである。
【図３Ｂ】図３Ａの電磁シールドの断面Ｂ−Ｂに沿った横断面図である。
【図４】本発明の一実施例に基づく、シールドファブリックの透視図を概略的に示すものである。
【図５】図４に示したシールドファブリックの断面Ｃ−Ｃに沿った横断面図である。
【図６】本発明の一実施例に基づく電磁シールドの透視図を概略的に示すものである。
【図７】本発明の一実施例に基づく電磁シールドの、２つのシールド構成における周波数領域とＥＭＳＥの関係を示すグラフである（実線は短絡構成、破線はオープン構成示す）。
【発明を実施するための形態】
【００３１】
以下、添付の非限定的な図面を参照しながら、本発明の実施例を更に詳細に説明する。慣例に従って、図面の様々な特徴は必ずしも一定の縮尺ではなく、特徴をより明確にするために様々な部材の寸法が、任意に拡大又は縮小されている。明細書及び図面の全体にわたり、同じ数字は同じ特徴を示す。
【００３２】
図１は、本発明の一実施例に基づく電磁シールド１を示すものである。電磁シールド１は、シールド表面を定義づけるために配置された複数の導電素子２を含んでいる。このシールド表面は、入射電磁界に関して外部空間領域からシールドされた空間領域を本質的に分ける表面として定義することができる。
【００３３】
導電素子２は、実質的に線形である。すなわち、複数の導電素子２は、各々、主に線形の方向（他の２つの方向は無視できる）に沿って伸びている。例えば、導電素子２は、棒、線あるいは長方形の形状である。
【００３４】
導電素子２は、好ましくは、例えば図１に概略的に示されるように、メッシュ、ネットあるいはグリッドを形成するように配列することができる。しかしながら、さらなる実施例（図示せず）として、シールド表面の導電素子２が全て本質的に互いに平行に配列されていても、本発明の保護の範囲内にある。
図１において、複数の導電素子２は、オープン構成と短絡構成との間で切替えるように構成された、スイッチングアセンブリ３（破線で図示）に電気的に接続されている。
【００３５】
特に、スイッチングアセンブリ３は、従来技術として良く知られたリレー、トランスミッション・ゲートあるいは同様のスイッチング要素のように、できれば電気的に操作されるタイプの複数のスイッチング要素４を含んでいる。
しかしながら、さらなる実施例では、機械的に操作されるスイッチング要素４でも良い。
各導電素子２は、スイッチングアセンブリ３の対応するスイッチング要素４の第１のターミナル４ａに電気的に接続されている。スイッチング要素４の第二のターミナル４ｂは、共通のノードＣに接続されている。
【００３６】
スイッチング要素４は、ターミナル４ａ、４ｂ間でスイッチング要素４を開閉制御するための制御端末４ｃを含んでいる。機械的に操作されるスイッチング要素４の場合には、制御端末４ｃは、閉位置と開位置間とを移動可能なレバーやセレクタでも良い。電気的に操作されるスイッチング要素４の場合には、制御端末４ｃが、スイッチング要素４の開状態及びの閉状態を表わすブール値を有する制御信号（例えば電圧）を受信するように構成された電気的なターミナルでも良い。
【００３７】
複数のスイッチング要素４が開いている場合、各導電素子２は、互いに電気的に絶縁されている（オープン構成）。複数のスイッチング要素４が閉じている場合、各導電素子２は共通のノードＣで互いに電気的に接続されている（短絡構成）。
【００３８】
スイッチングアセンブリ３は、複数の導電素子２の各終端の１つに電気的に接続されており、その結果、複数の導電素子２が短絡構成にある場合、これらの導電素子２はそれらの各終端で互いに電気的に接続される。
他の実施例として、各導電素子２の端が各々スイッチング要素４に電気的に接続され、その結果、複数の導電素子が短絡構成にある場合、各導電素子２の両方の端は、共通のノードＣに電気的に接続されるようにしても良い。
【００３９】
後でより詳細に説明するように、電磁シールド１の複数の導電素子２を、電気的なオープン構成と短絡構成の間で切替えることによって、シールド表面の電磁シールド効果（ＥＭＳＥ）の値に変化が生じる。
特に、この電磁シールド効果は、電磁シールドのシールド表面に入射する電磁界の周波数値の関数である。言いかえれば、本発明は、例えば所定の周波数においてスイッチングアセンブリ３を制御することにより変更できる電磁シールド効果値を有する、電磁シールド１を提供する。
【００４０】
特に、適切なやり方で導電素子２を配列することによって、２つの異なる値の間で切替え可能な電磁シールド効果値を有する、シールド表面を得ることができる。例えば、高周波（ＲＦ）に含まれる周波数範囲の電磁界を遮蔽するために、導電素子２を、４００ｍｍ２未満の広がりを有する開口部を備えたメッシュ又はグリッドを形成するように配置しても良い。好ましくは、これらの開口部の範囲は、１ｍｍ２乃至１００ｍｍ２の間に含まれ、より好ましくは約１０ｍｍ２である。
【００４１】
例えば、幾つかの実施例では、電磁シールド１は、導電素子２が閉じた構成にあるとき、電磁界の所定の周波数に対してシールドされるように設計されている。そのため、導電素子２が短絡構成にあるときに高い値のＥＭＳＥがシールド面に提供され、一方、導電素子２がオープン構成にあるとき、低い値のＥＭＳＥがシールド面によって提供される。
【００４２】
図２において、各導電素子２は、電気的絶縁材料５により互いに他の導電素子に対して間隔をおいて配置されている。好ましくは、導電素子２は誘電体層５によって覆われている（例えば絶縁線）。例えば、導電素子２は、誘電体層５で覆われた、銅線、あるいは金属棒でも良い。
【００４３】
（図３Ａ及び図３Ｂで概略的に示された）幾つかの実施例では、複数の導電素子２は、シート１１ａ、１１ｂを形成する電気的絶縁材料の１つ又は複数の層内に埋め込まれている。複数のシート１１ａ、１１ｂは、シールドパネル１１を形成するために、オーバーラップして連結しても良い。これらの実施例は、シールドされるべき空間領域が例えば部屋又は建物である場合に、非常に有用である。
【００４４】
各パネル１１の各導電素子２は、ソケットの形式の接続ターミナルを提供する第１の端を備え、この導電素子２の他端には、複数のパネル１１間の迅速で単純な電気的な接続を実行するために、プラグ形式の接続ターミナルが設けられているのが良い。
【００４５】
図４及び図５において、導電素子２は金属ワイヤ（例えば銅ワイヤ）、好ましくはマグネットワイヤ（あるいは、電気絶縁材料で被覆されている一般的な導電性ワイヤ）である。この実施例では、導電素子２は、好ましくはデニムファブリックであるファブリック１２の経糸１２ａ及び緯糸１２ｂの一部を構成するように配列されている。
【００４６】
幾つかの実施例では、導電素子２が、ファブリック１２の経糸１２ａの一部だけあるいは緯糸１２ｂの一部だけを形成するように配列されている。他の実施例として、複数の導電素子２が、経糸１２ａの全体及び又は緯糸１２ｂの全体を形成するように配列されても、本発明の保護の範囲内にある。
一般に、シールドファブリック１２は、ファブリック１２の少なくとも経糸１２ａの一部及び又は少なくとも緯糸１２ｂの一部を形成するように配置された複数の導電素子２を含んでいる。
【００４７】
例えば、図４、及び図５に示した実施例では、ファブリック１２の経糸１２ａの４分の１が、導電素子２を含んでいる。好ましくは、連続する２本の導電素子２の経糸の間に、３本の普通の経糸１２ａが存在するように配列されている。経糸と同様に、ファブリック１２の緯糸１２ｂも同じ方法で形成しても良い。その結果、ファブリックは、規則的な糸１２ａ、１２ｂで織られており、導電素子２が、実質的に正方形の開口部のグリッドを形成している。
好ましい実施例として、例えば、複数の導電素子２に、銅マグネットワイヤを含むコアを有するコアスパン綿糸を採用しても良い。
【００４８】
図６を参照すると、電磁シールド１は、更に２つのスイッチング要素６，７を備えたスイッチングアセンブリ３を含んでいる。スイッチング要素６は、共通のノードＣを電気的に固定グラウンド電位に接続するように構成され、スイッチング要素７は、共通のノードＣを電気的に共振回路８に接続するように構成されている。
共振回路８は、電磁シールド１の複数の導電素子２が短絡構成にある場合に、これらの導電素子２を送信アンテナとして駆動するダイナミック駆動電位を提供するように構成され、かつ、共通のノードＣは、電気的に共振回路８に接続されている。
【００４９】
出願人は、共通のノードＣが固定グラウンド電位に電気的に接続されているとき、所定の発振周波数を有するダイナミック駆動電位（例えば正弦波電圧信号）を共通のノードＣに印加することにより、電磁シールド１によって提供されるＥＭＳＥ値は、この提供されるＥＭＳＥ値に対して変化することに注目してきた。
【００５０】
好ましい実施例では、共振回路８は、ダイナミック駆動電位の振動数を制御するための、電圧制御発振器（ＶＣＯ）を含んでいる。その結果、複数の導電素子が短絡構成にあるとき、電磁シールドによって提供されるＥＭＳＥは、共通のノードＣが共振回路８に電気的に接続されている間に、調整することができる。
【００５１】
図６において、スイッチング要素６，７は、共通のノードＣを電気的に固定グラウンド電位に接続するか、あるいは、共通のノードＣを共振回路８に電気的に接続するように制御される。言いかえれば、スイッチング要素６が閉じ、スイッチング要素７が開いていている場合、共通のノードＣは、固定グラウンド電位にある。同様に、スイッチング要素６が開き、スイッチング要素７は閉じている場合、共通のノードＣは、共振回路８によって提供されるダイナミック駆動電位にある。
例えば、もし、スイッチング要素６，７が（トランスミッション・ゲート、又はリレー等で）電気的に操作される場合、スイッチング要素６の制御信号は、スイッチング要素７の制御信号に対して論理的ではなく、逆もまた同様である。
【００５２】
しかしながら、幾つかの実施例では、共通のノードＣが固定グラウンド電位のみに電気的に接続されているか、又は共通のノードＣが共振回路８のみに電気的に接続されているかのいずれかであり、これも本発明の保護の範囲内である。
言い換えると、これらの実施例のスイッチングアセンブリ３にはスイッチング要素６，７が設けられておらず、また、共通のノードＣはグラウンド電位あるいは共振回路８に直接接続されている。
【００５３】
電磁シールド１は、ユーザによるスイッチングアセンブリ３のスイッチングを制御するための制御手段９を含んでいる。例えば、スイッチング要素４の制御端末４ｃは、スイッチング要素４の開閉制御のために構成された論理回路９ａに接続するのが良い。
論理回路９ａは、セレクタ９ｃを含んだユーザ・インターフェース９ｂによって制御するのが良い。このセレクタ９ｃは、導電素子２がオープン構成と短絡構成との間で摺動する構成を選択するように構成された機械的なセレクタ９ｃでもよい。
【００５４】
電磁シールドが更に共振回路８を備えている場合、ユーザ・インターフェース９ｂは、更に、（例えばセレクタ９ｃによって）、オープン構成と短絡構成との間で、次のいずれかのシールド構成を選択できるように構成しても良い；
オープン構成、
固定グラウンド電位にある共通のノードとの短絡構成、及び、
ダイナミックな駆動電位にある共通のノードＣとの短絡構成。
【００５５】
好ましい実施例では、ユーザ・インターフェース９ｂが、無線通信モジュール（例えばブルートゥース（登録商標）モジュール）を含むコミュニケーション・モジュール９ｄを備えているのが良い。このコミュニケーション・モジュールは、外部装置１０（例えばスマートフォン、ＰＣあるいは同様の装置）から構成信号を受信するように構成されているのが良い。
この構成信号は、外部装置１０において、例えば外部装置１０内のグラフィックインターフェースによってよって、選択することができる。好ましい実施例では、スイッチングアセンブリ３は、各スイッチング要素４の開閉制御ができるように構成される。そのため、電磁シールド１の複数の導電素子２を、第１の部分的な短絡構成と、第２の部分的な短絡構成の間で切替えることができる。
【００５６】
複数の導電素子が第１の部分的な短絡構成にある場合、複数の導電素子２の第１のセットは共通のノードＣで互いに電気的に接続され、複数の導電素子の第２のセットは互いに電気的に絶縁されている。同様に、複数の導電素子が第２の部分的な短絡構成にある場合、複数の導電素子２の第１のセットが互いに電気的に隔離されている一方、複数の導電素子の第２のセットは共通のノードＣで互いに電気的に接続される。
【００５７】
出願人は、電磁シールドの複数の導電素子２を、部分的な短絡構成（第１のセット又は第２のセット）、オープン構成、又は短絡構成との間で切替えることによってＥＭＳＥが変化することに注目してきた。
例えば、前記のように定義された２つの部分的な短絡構成を画定するために、ユーザは、外部装置１０によって、複数の導電素子２の第１、第２のセットを選択してもよい。その結果、ユーザが電磁シールドの複数の導電素子の短絡構成を切替えることにより、ＥＭＳＥを調節することができる。更に、複数の導電素子２の共通のノードＣは、部分的な短絡構成において、固定グラウンド電位あるいは（できれば調整可能な振動数を有する）ダイナミックな駆動電位に電気的に接続されても良い。
【００５８】
このようにして、シールドすべき電磁界の所定の周波数に対して、所望の範囲内のＥＭＳＥを提供するために、同じ電磁シールド１を調節することができる。言い換えると、電磁シールドは、各々所望の第１の範囲及び第２の範囲に含まれる、第１の値と第２の値の間で切替え可能なＥＭＳＥを有するシールド表面を提供することができる。
【００５９】
要約すると、電磁界から電磁シールドを提供する方法は、以下のステップを含んでいる：
（ａ）本発明の任意の１つの実施例に基づいて、電磁シールドを提供するステップ；
（ｂ）電磁シールドの複数の導電素子２を、オープン構成と短絡構成の間で切替えるステップ。
ステップ（ｂ）では、電磁界の所定の１つ又は複数の周波数において、シールド表面の電磁シールド効果（ＥＭＳＥ）を変化させる。
【００６０】
好ましくは、上記方法は、シールド表面の電磁シールド効果を調節するためのさらなるステップ（ｃ）を含んでいても良い。
幾つかの実施形態では、ステップ（ｃ）は、例えば、複数の導電素子が部分的に短絡された構成（例えば、第１又は第２の部分的短絡構成）にあるときに、共通のノードに電気的に接続されるべき複数の導電素子２の一部（例えば、第１又は第２の導電素子のセット）を選択することによって実行されるようにしても良い。
【００６１】
幾つかの実施例では、ステップ（ｃ）は、例えば、共通のノード（Ｃ）に電気的に接続された共振回路によって提供されるダイナミック駆動電位の発振周波数を調整するのを実行するようにしても良い。
この実施例では、ステップ（ｃ）は、複数の導電素子が短絡構成、あるいは部分的な短絡構成にある場合に、実行される。
【００６２】
図７は、電磁シールド１の複数の導電素子２が、短絡構成（実線）及びオープン構成（点線）にあるときの、周波数領域におけるＥＭＳＥのグラフを示す。
特に、図７に示されるグラフは、シールドされた織物１２の試料に対してＡＳＴＭ  Ｄ  ４９３５−１０によって実施されたＥＭＳＥの測定に基づいており、導電素子は、直径約３５μｍの断面を有する銅マグネットワイヤを含むコアを有するコアスパン綿糸を含んでいる。これらの導電素子は、綿製の他の糸と共に織られ、一辺が約３ｍｍの実質的に正方形の形状を有する開口部を備えたグリッドを形成している。
【００６３】
グラフからわかるように、電磁シールドの複数の導電素子２を電気的に短絡構成とオープン構成の間で切替えることによって、ＥＭＳＥの値はかなり変化する。例えば、約８００ＭＨｚと９００ＭＨｚとの間に含まれる周波数の第１の範囲（概略的に長方形Ｒ１で示された範囲）では、複数の導電素子を有する電磁シールドの、短絡構成とオープン構成おいて提供されるＥＭＳＥの値の差は、約１０ｄＢと１５ｄＢの間にある。
図７において、約２．６ＧＨｚと２．７ＧＨｚの間で含まれた周波数の第２の範囲（概略的に長方形Ｒ２で示された範囲）では、複数の導電素子を有する電磁シールドの、短絡構成とオープン構成で提供されるＥＭＳＥの値の差は、約１０ｄＢと１２ｄＢの間にある。
【００６４】
電磁シールド１は、衣服、財布、小銭入れ、バッグ、カードホルダー、あるいは電話カバーのような物品に、容易に組み込むことができる。シールド表面のＥＭＳＥは、電磁シールド１の導電素子をオープン構成と短絡構成の間の切替えることによって、例えば、ＲＦ信号がールド表面を通過するのを可能にする第１の値と、ＲＦ信号がシールドされる第２の値の間で切替えることができる。
【００６５】
幾つかの実施例では、電磁シールド１がポケットに結合されとおり、例えば本発明のシールドファブリック１２で作られている。
このポケットは、衣服（例えば一着のズボン）、あるいは小銭入れ、あるいは財布に組み込むことができる。このポケットは、例えば、その内部に非接触型クレジット／デビットカードを直接的又は間接的に収容するために使用してもよい。
ユーザ・インターフェース９ｂ（機械的に選択及び／又は無線通信モジュール）によって、ユーザは構成の設定をスイッチングアセンブリ３に提供することができ、それにより、電磁シールド１の導電素子を異なるシールド構成（例えば短絡構成とオープン構成）間で切替えることができる。
電磁シールド１は、クレジット／デビットカードによる非接触決済を実行するために使用される周波数で、異なる値のＥＭＳＥを提供するように設計することができる。
【００６６】
この実施例により、ユーザは、クレジットカードがポケットに入っているときに、ＥＭＳＥの値が高いシールド構成を提供する構成設定を選択することができ、ユーザは不正な支払いを防ぐことができる。
ユーザがクレジットカードを非接触モードで使用することを望む場合、ユーザが、低い値のＥＭＳＥを有するシールド構成を提供する構成設定を選択することによって、電磁シールドを切替えることができる。
【符号の説明】
【００６７】
１  電磁シールド
２  導電素子
３  スイッチングアセンブリ
４  スイッチング要素
４ａ  第１のターミナル
４ｂ  第２のターミナル
４ｃ  制御ターミナル
５  電気的絶縁材料
６  スイッチング要素
７  スイッチング要素
８  共振回路
９  制御手段
９ａ  論理回路
９ｂ  ユーザ・インターフェース
９ｃ  セレクタ
９ｄ  コミュニケーション・モジュール
１０  外部装置
１１  シールドパネル
１１ａ  シート
１１ｂ  シート
１２  シールドファブリック
１２ａ  経糸
１２ｂ  緯糸
Ｃ  電気的に共通のノード
【図１】
2019204944.tif 000003
【図２】
2019204944.tif 000004
【図３Ａ】
2019204944.tif 000005
【図３Ｂ】
2019204944.tif 000006
【図４】
2019204944.tif 000007
【図５】
2019204944.tif 000008
【図６】
2019204944.tif 000009
【図７】
2019204944.tif 000010
【外国語明細書】
2019204944000001.pdf